(57)【特許請求の範囲】
【請求項１】
電話通信が可能な第１通信部と、
撮像部と、
前記第１通信部において操作側携帯電話機に電話発信があった場合または操作側携帯電話機からの電話着信があった場合において、前記電話発信時の呼出音または前記電話着信時の着信音が第１の回数繰り返し発呼または着呼された後、前記電話発信または前記電話着信による通信状態がユーザにより切断されたことを検知した場合に、前記撮像部に撮像動作を実行するように制御する制御部と、
前記操作側携帯電話機と電話通信以外の方法で通信可能に構成された第２通信部とを備え、
前記制御部は、前記第２通信部により、近傍に前記操作側携帯電話機があるか否かを検索して検索により特定された前記操作側携帯電話機の識別情報を取得する制御を行うように構成されている、携帯電話機。
【請求項２】
前記制御部は、前記電話発信時の呼出音または前記電話着信時の着信音が前記第１の回数目に発呼または着呼した後、前記第１の回数の次の回数である第２の回数目に発呼または着呼する前までの間に、前記電話発信または前記電話着信が切断されたことを検知した場合に、前記撮像部に撮像動作を実行するように制御するように構成されている、請求項１に記載の携帯電話機。
【請求項３】
前記制御部は、前記第２通信部により予め取得された識別情報に対応する前記操作側携帯電話機との電話発信または電話着信による通信状態が切断されたことを検知した場合に、前記撮像部に撮像動作を実行するように制御するように構成されている、請求項１または２に記載の携帯電話機。
【請求項４】
前記操作側携帯電話機からの遠隔操作により、前記撮像部による撮像動作を実行することが可能な遠隔撮影モードに切替可能に構成されており、
前記遠隔撮影モードの際に、前記制御部は、前記電話発信時の呼出音または前記電話着信時の着信音が第１の回数繰り返し発呼または着呼された後、前記電話発信または前記電話着信による通信状態がユーザにより切断されたことを検知した場合に、前記撮像部に撮像動作を実行する制御を行うように構成されている、請求項１〜３のいずれか１項に記載の携帯電話機。
【請求項５】
前記制御部は、前記第２通信部を介して前記操作側携帯電話機の識別情報を取得できなかった場合に、ユーザにより前記操作側携帯電話機の識別情報を選択または入力可能に構成されており、ユーザによる識別情報の選択または入力に基づいて、前記操作側携帯電話機の識別情報を取得可能に構成されている、請求項１〜４のいずれか１項に記載の携帯電話機。
【請求項６】
前記制御部は、前記第１通信部により電話着信した場合において、前記電話着信時の着信音が前記第１の回数繰り返し着呼された後、前記電話着信による通信状態が切断された場合に、前記撮像部に撮像動作を実行するように制御するように構成されている、請求項１〜５のいずれか１項に記載の携帯電話機。
【請求項７】
前記制御部は、電話着信された操作側携帯電話機の識別情報が予め取得された前記操作側携帯電話機の識別情報と異なる場合には、前記予め取得された識別情報と異なる操作側携帯電話機からの電話着信を拒否する制御を行うように構成されている、請求項６に記載の携帯電話機。
【請求項８】
着信を受けた後の通話を録音する留守番電話モードまたは電話転送モードを有し、
前記制御部は、前記操作側携帯電話機の識別情報が取得された場合に、前記留守番電話モードまたは電話転送モードを解除する制御を行うように構成されている、請求項６または７に記載の携帯電話機。
【請求項９】
電話通信が可能な操作側携帯電話機と、
電話通信が可能な通信部と、撮像部と、前記通信部において前記操作側携帯電話機に電話発信があった場合または前記操作側携帯電話機からの電話着信があった場合において、前記電話発信時の呼出音または前記電話着信時の着信音が所定の回数繰り返し発呼または着呼された後、前記電話発信または前記電話着信による通信状態がユーザにより切断されたことを検知した場合に、前記撮像部に撮像動作を実行するように制御する制御部と、前記操作側携帯電話機と電話通信以外の方法で通信可能に構成された第２通信部とを含む撮像側携帯電話機とを備え、
前記制御部は、前記第２通信部により、近傍に前記操作側携帯電話機があるか否かを検索して検索により特定された前記操作側携帯電話機の識別情報を取得する制御を行うように構成されている、携帯電話機を用いた撮像システム。
【請求項１０】
ユーザの操作に基づいて、撮像側携帯電話機から操作側携帯電話機に電話発信するか、または、前記操作側携帯電話機から電話発信された電話を前記撮像側携帯電話機により電話着信するステップと、
前記電話発信時の呼出音または前記電話着信時の着信音の回数が所定の回数繰り返し発呼または着呼された後、前記電話発信または前記電話着信がユーザにより切断されたことを検知した場合に、撮像部に撮像動作を実行させるステップと、
前記撮像側携帯電話機により、近傍に前記操作側携帯電話機があるか否かを検索して検索により特定された前記操作側携帯電話機の識別情報を取得するステップとを備える、携帯電話機を用いた撮像方法。
【発明の詳細な説明】
【技術分野】
【０００１】
この発明は、携帯電話機、それを用いた撮像システムおよび撮像方法に関し、特に、撮像部（カメラ機能）を備える携帯電話機、それを用いた撮像システムおよび撮像方法に関する。
【背景技術】
【０００２】
従来、撮像部（カメラ機能）を備える携帯電話機、それを用いた撮像システムおよび撮像方法が知られている（たとえば、特許文献１〜３参照）。
【０００３】
上記特許文献１には、予め登録された電話番号を有する携帯電話機からの着信に応答して撮像動作を実行するカメラ機能（撮像部）を備える携帯電話機が開示されている。この携帯電話機は、予め登録された電話番号を有する携帯電話機から着信があった際にカメラ撮影を実行するように構成されている。また、上記特許文献１の携帯電話機は、セルフタイマを有している。上記特許文献１の携帯電話機は、セルフタイマが予め設定された場合には、予め登録された電話番号を有する携帯電話機から着信があった際にセルフタイマを起動し、セルフタイマの時間経過後にカメラ撮影を実行することが可能なようにも構成されている。
【０００４】
また、上記特許文献２には、遠隔の携帯電話機からの着信に応答して撮影動作を実行することが可能なカメラ（撮像部）付き携帯電話（携帯電話機）が開示されている。上記特許文献２によるカメラ付き携帯電話は、遠隔の携帯電話機からの発信を受信して通話状態を確立した後、暗証番号を入力やタイマの設定など、遠隔の携帯電話機からの所定の操作に基づいてカメラ付き携帯電話機に撮影を行わせるように構成されている。
【０００５】
また、上記特許文献３には、遠隔の操作端末からの操作に基づいて撮影動作を実行することが可能なカメラ（撮像部）付き折畳式携帯電話（携帯電話機）が開示されている。上記特許文献３によるカメラ付き折畳式携帯電話は、通信事業者サーバなどと通信することにより、遠隔の操作端末が撮影実行命令などの各種制御コマンドをカメラ付き折畳式携帯電話に送信するように構成されており、受信した制御コマンドに応じて撮影を行うように構成されている。
【先行技術文献】
【特許文献】
【０００６】
【特許文献１】特開２００５−１０１８６７号公報
【特許文献２】特開２００５−３２３２５４号公報
【特許文献３】特開２００３−２１９０４３号公報
【発明の概要】
【発明が解決しようとする課題】
【０００７】
上記特許文献１に開示された携帯電話機では、着信があった際にカメラ撮影を実行する場合には、着信する際の電波の状況などにより、着信しやすい場合や着信しにくい場合がある。この場合には、予め登録された電話番号を有する携帯電話機（発信側）が発信したと同時にカメラ撮影が実行されるとは限らず、カメラ撮影のタイミングが一定しないという問題点がある。
【０００８】
また、上記特許文献２に開示されたカメラ付き携帯電話（携帯電話機）では、遠隔の携帯電話機からの発信を受信して通話状態を確立した後、暗証番号の入力やタイマの設定など、遠隔の携帯電話機を用いて所定の操作を行わなければカメラ付き携帯電話機に撮影を行わせることができないため、ユーザの操作が煩雑になるという問題点がある。
【０００９】
また、上記特許文献３に開示されたカメラ付き折畳式携帯電話（携帯電話機）では、カメラ付き折畳式携帯電話を用いることにより撮像を行うために、通信事業者サーバなどと通信することにより、遠隔の操作端末が撮影実行命令などの各種制御コマンドを送信する必要がある。このため、撮影実行命令などの各種制御コマンドを送信するために、ユーザはそれらに対応する操作を行わなければカメラ付き携帯電話機に撮影を行わせることができないため、ユーザの操作が煩雑になるという問題点がある。
【００１０】
この発明は、上記のような課題を解決するためになされたものであり、この発明の１つの目的は、ユーザの操作を簡素化しながらカメラ撮影のタイミングを均一にすることが可能な携帯電話機、それを用いた撮像システムおよび撮像方法を提供することである。
【課題を解決するための手段および発明の効果】
【００１１】
この発明の第１の局面による携帯電話機は、電話通信が可能な第１通信部と、撮像部と、第１通信部において操作側携帯電話機に電話発信があった場合または操作側携帯電話機からの電話着信があった場合において、電話発信時の呼出音または電話着信時の着信音が第１の回数繰り返し発呼または着呼された後、電話発信または電話着信による通信状態がユーザにより切断されたことを検知した場合に、撮像部に撮像動作を実行するように制御する制御部と、操作側携帯電話機と電話通信以外の方法で通信可能に構成された第２通信部とを備え、制御部は、第２通信部により、近傍に操作側携帯電話機があるか否かを検索して検索により特定された操作側携帯電話機の識別情報を取得する制御を行うように構成されている。
【００１２】
この発明の第１の局面による携帯電話機では、上記のように、第１通信部において操作側携帯電話機に電話発信があった場合または操作側携帯電話機からの電話着信があった場合において、電話発信時の呼出音または電話着信時の着信音が第１の回数繰り返し発呼または着呼された後、電話発信または電話着信による通信状態がユーザにより切断されたことを検知した場合に、撮像部に撮像動作を実行するように制御する制御部を設けることによって、第１通信部により電話の発信または着信を一旦受けた後の通信の状態が確立した状態で撮像部に撮像動作を実行するように制御するので、電話着信または電話発信があった際にカメラ撮影を実行する携帯電話機と異なり、カメラ撮影のタイミングを均一にすることができる。また、電話発信時の呼出音または電話着信時の着信音が第１の回数繰り返し発呼または着呼された後、電話発信または電話着信による通信状態がユーザにより切断されたことを検知した場合に、撮像部に撮像動作を実行するように制御する制御部を設けることによって、相手側と電話の通話状態を確立する操作および撮影を実行するための操作を行うことなく、かつ、制御コマンドを送信するための煩雑な操作を行うことなく撮像動作を実行することができる。これにより、ユーザが行う操作を削減することができる。これらの結果、ユーザの操作を簡素化しながらカメラ撮影のタイミングを均一にすることができる。
【００１３】
上記第１の局面による携帯電話機において、好ましくは、制御部は、電話発信時の呼出音または電話着信時の着信音が第１の回数目に発呼または着呼した後、第１の回数の次の回数である第２の回数目に発呼または着呼する前までの間に、電話発信または電話着信が切断されたことを検知した場合に、撮像部に撮像動作を実行するように制御するように構成されている。このように構成すれば、第１の回数目に発呼または着呼した後、第１の回数の次の回数である第２の回数目に発呼または着呼する前までの間に限定して撮像部に撮像動作を実行させることができるので、その期間に合わせた所定のタイミングでカメラ撮影を行うことができる。
【００１４】
上記第１の局面による携帯電話機において、好ましくは、制御部は、第２通信部により予め取得された識別情報に対応する操作側携帯電話機との電話発信または電話着信による通信状態が切断されたことを検知した場合に、撮像部に撮像動作を実行するように制御するように構成されている。このように構成すれば、第２通信部により予め取得された識別情報に対応しない携帯電話機から着信があった場合にも、撮像部により撮像動作が実行されることがないので、予期せぬ着信に起因してカメラ撮影が行われるのを抑制することができる。
【００１５】
上記第１の局面による携帯電話機において、好ましくは、操作側携帯電話機からの遠隔操作により、撮像部による撮像動作を実行することが可能な遠隔撮影モードに切替可能に構成されており、遠隔撮影モードの際に、制御部は、電話発信時の呼出音または電話着信時の着信音が第１の回数繰り返し発呼または着呼された後、電話発信または電話着信による通信状態がユーザにより切断されたことを検知した場合に、撮像部に撮像動作を実行する制御を行うように構成されている。このように構成すれば、遠隔撮影モードの場合には、撮像側の携帯電話機の制御部は、操作側携帯電話機からの遠隔撮影を行うための切断操作に対応した遠隔撮影用の制御を行うことができる。
【００１７】
上記第１の局面による携帯電話機において、制御部は、第２通信部を介して操作側携帯電話機の識別情報を取得できなかった場合に、ユーザにより操作側携帯電話機の識別情報を選択または入力可能に構成されており、ユーザによる識別情報の選択または入力に基づいて、操作側携帯電話機の識別情報を取得可能に構成されている。このように構成すれば、第２通信部と通信できない操作側携帯電話機を用いてカメラ撮影を行いたい場合にも、ユーザが撮影を行う携帯電話機を操作して第２通信部と通信できない操作側携帯電話機の識別情報を入力または選択することにより、第２通信部と通信できない操作側携帯電話機を用いてカメラ撮影を行うことができる。
【００１８】
上記第１の局面による携帯電話機において、好ましくは、制御部は、第１通信部により電話着信した場合において、電話着信時の着信音が第１の回数繰り返し着呼された後、前記電話着信による通信状態が切断された場合に、撮像部に撮像動作を実行するように制御するように構成されている。このように構成すれば、撮像側の携帯電話機の第１通信部により電話着信することによって通信状態を確立した後切断する場合において、ユーザの操作を簡素化しながらカメラ撮影のタイミングを均一にすることができる。
【００１９】
上記電話着信が切断された場合に撮像部に撮像動作を実行する制御部を備える携帯電話機において、好ましくは、制御部は、電話着信された操作側携帯電話機の識別情報が予め取得された操作側携帯電話機の識別情報と異なる場合には、予め取得された識別情報と異なる操作側携帯電話機からの電話着信を拒否する制御を行うように構成されている。このように構成すれば、予め取得された識別情報と異なる操作側携帯電話機からの電話着信に基づいてカメラ撮影が行われるのを防止することができる。
【００２０】
上記電話着信が切断された場合に撮像部に撮像動作を実行する制御部を備える携帯電話機において、好ましくは、着信を受けた後の通話を録音する留守番電話モードまたは電話転送モードを有し、制御部は、操作側携帯電話機の識別情報が取得された場合に、留守番電話モードまたは電話転送モードを解除する制御を行うように構成されている。このように構成すれば、本発明の撮影動作を実行させるために着信する際に、留守番電話モードまたは電話転送モードのために、受信した着信が通話接続されてしまうのを抑制することができるので、受信した着信が通話接続されることに起因してカメラ撮影ができなくなるのを抑制することができる。
【００２１】
この発明の第２の局面による携帯電話機を用いた撮像システムは、電話通信が可能な操作側携帯電話機と、電話通信が可能な通信部と、撮像部と、通信部において操作側携帯電話機に電話発信があった場合または操作側携帯電話機からの電話着信があった場合において、電話発信時の呼出音または電話着信時の着信音が所定の回数繰り返し発呼または着呼された後、電話発信または電話着信による通信状態がユーザにより切断されたことを検知した場合に、撮像部に撮像動作を実行するように制御する制御部と、操作側携帯電話機と電話通信以外の方法で通信可能に構成された第２通信部とを含む撮像側携帯電話機とを備え、制御部は、第２通信部により、近傍に操作側携帯電話機があるか否かを検索して検索により特定された操作側携帯電話機の識別情報を取得する制御を行うように構成されている。
【００２２】
この発明の第２の局面による携帯電話機を用いた撮像システムでは、上記のように、通信部において操作側携帯電話機に電話発信があった場合または操作側携帯電話機からの電話着信があった場合において、電話発信時の呼出音または電話着信時の着信音が所定の回数繰り返し発呼または着呼された後、電話発信または電話着信による通信状態がユーザにより切断されたことを検知した場合に、撮像部に撮像動作を実行するように制御する制御部を設けることによって、通信部により電話の発信または着信を一旦受けた後の通信の状態が確立した状態で撮像部に撮像動作を実行するように制御するので、電話着信または電話発信があった際にカメラ撮影を実行する携帯電話機と異なり、カメラ撮影のタイミングを均一にすることができる。また、電話発信時の呼出音または電話着信時の着信音が第１の回数繰り返し発呼または着呼された後、電話発信または電話着信による通信状態がユーザにより切断されたことを検知した場合に、撮像部に撮像動作を実行するように制御する制御部を設けることによって、相手側と電話の通話状態を確立する操作および撮影を実行するための操作を行うことなく、かつ、制御コマンドを送信するための煩雑な操作を行うことなく撮像動作を実行することができる。これにより、ユーザが行う操作を削減することができる。これらの結果、ユーザの操作を簡素化しながらカメラ撮影のタイミングを均一にすることができる。 
【００２３】
この発明の第３の局面による携帯電話機を用いた撮像方法は、ユーザの操作に基づいて、撮像側携帯電話機から操作側携帯電話機に電話発信するか、または、操作側携帯電話機から電話発信された電話を撮像側携帯電話機により電話着信するステップと、電話発信時の呼出音または電話着信時の着信音の回数が所定の回数繰り返し発呼または着呼された後、電話発信または電話着信がユーザにより切断されたことを検知した場合に、撮像部に撮像動作を実行させるステップと、撮像側携帯電話機により、近傍に操作側携帯電話機があるか否かを検索して検索により特定された操作側携帯電話機の識別情報を取得するステップとを備える。
【００２４】
この発明の第３の局面による携帯電話機を用いた撮像方法では、上記のように、電話発信時の呼出音または電話着信時の着信音の回数が所定の回数繰り返し発呼または着呼された後、電話発信または電話着信がユーザにより切断されたことを検知した場合に、撮像部に撮像動作を実行させるステップを設けることによって、電話の発信または着信を一旦受けた後の通信の状態が確立した状態で撮像部に撮像動作を実行するように制御するので、電話着信または電話発信があった際にカメラ撮影を実行する携帯電話機と異なり、カメラ撮影のタイミングを均一にすることができる。また、電話発信または電話着信による通信状態がユーザにより切断されたことを検知した場合に、撮像部に撮像動作を実行させるステップを設けることによって、相手側と電話の通話状態を確立する操作および撮影を実行するための操作を行うことなく、かつ、制御コマンドを送信するための煩雑な操作を行うことなく撮像動作を実行することができる。これにより、ユーザが行う操作を削減することができる。これらの結果、ユーザの操作を簡素化しながらカメラ撮影のタイミングを均一にすることができる。
【図面の簡単な説明】
【００２５】
【図１】本発明の第１実施形態による携帯電話機を用いた撮像システムを使用する遠隔撮影の準備段階について説明するための図である。
【図２】図１に示した携帯電話機を用いた撮像システムを使用する遠隔撮影について説明するための図である。
【図３】図１に示した携帯電話機を用いた撮像システムにおける撮影を行う携帯電話機の構成を説明するためのブロック図である。
【図４】図１に示した携帯電話機を用いた撮像システムにおける操作側の携帯電話機の構成を説明するためのブロック図である。
【図５】図１に示した携帯電話機を用いた撮像システムにおけるカメラ側携帯電話機が遠隔撮影モードで処理する制御フローを説明するためのフローチャートである。
【図６】本発明の第２実施形態による携帯電話機を用いた撮像システムにおけるカメラ側携帯電話機の構成を説明するためのブロック図である。
【図７】本発明の第２実施形態による携帯電話機を用いた撮像システムにおけるカメラ側携帯電話機が遠隔撮影モードで処理する制御フローを説明するためのフローチャートである。
【発明を実施するための形態】
【００２６】
以下、本発明の実施形態を図面に基づいて説明する。
【００２７】
（第１実施形態）
まず、図１〜図４を参照して、本発明の第１実施形態によるカメラ側携帯電話機１００および操作側携帯電話機２００からなる撮像システムの構成について説明する。なお、カメラ側携帯電話機１００は、本発明の「撮像側携帯電話機」および「携帯電話機」の一例である。
【００２８】
本発明の第１実施形態による携帯電話機を用いた撮像システムは、図１に示すように、被写体５０を撮像するためのカメラ側携帯電話機１００と、カメラ側携帯電話機１００を遠隔操作する操作側携帯電話機２００とにより構成されている。カメラ側携帯電話機１００は、図１および図２に示すように、三脚６０に設置可能に構成されている。また、第１実施形態による撮像システムは、図１に示すように、後述する遠隔撮影モードにおいて、遠隔操作するための操作側携帯電話機２００をカメラ側携帯電話機１００に設定可能に構成されている。そして、第１実施形態による撮像システムは、図２に示すように、ユーザがカメラ側携帯電話機１００で設定された操作側携帯電話機２００を操作することにより、被写体５０を撮像することが可能なように構成されている。
【００２９】
具体的には、本発明の第１実施形態によるカメラ側携帯電話機１００は、図３に示すように、ＣＰＵ１１と、電話通信部１２と、撮像を行う撮像部１３と、ＩＲ（赤外線）通信部１４およびＢｌｕｅｔｏｏｔｈ通信部１５と、不揮発性メモリ１６と、入力操作部１７と、表示部１８とを備える撮像機能（カメラ機能）を有する携帯電話機である。なお、ＣＰＵ１１は、本発明の「制御部」の一例であり、電話通信部１２は、本発明の「第１通信部」および「通信部」の一例である。また、ＩＲ（赤外線）通信部１４およびＢｌｕｅｔｏｏｔｈ通信部１５は、それぞれ、本発明の「第２通信部」の一例である。
【００３０】
ＣＰＵ１１は、カメラ側携帯電話機１００の制御を司る機能を有する。なお、ＣＰＵ１１については、後に詳細に説明する。また、電話通信部１２は、図示しない携帯電話会社の基地局と電波を送受信可能に構成されており、図示しない基地局を介して操作側携帯電話機２００（図４参照）などの他の外線電話機と電話通信を行うことが可能なように構成されている。
【００３１】
ＩＲ（赤外線）通信部１４およびＢｌｕｅｔｏｏｔｈ通信部１５は、それぞれ、操作側携帯電話機２００（図４参照）などの外部機器と電話通信以外の方法でデータを無線通信可能に構成されている。具体的には、ＩＲ（赤外線）通信部１４およびＢｌｕｅｔｏｏｔｈ通信部１５は、それぞれ、操作側携帯電話機２００の電話番号およびメールアドレスなどを受信、または、カメラ側携帯電話機１００の電話番号およびメールアドレスなどを接続された外部機器などに送信する機能を有する。
【００３２】
不揮発性メモリ１６は、カメラ側携帯電話機１００自身の電話番号、操作側携帯電話機２００などの他の携帯電話の電話番号、ＣＰＵ１１の制御プログラム、および、撮像部１３により撮像された画像データなどを格納する機能を有する。
【００３３】
また、図３に示すように、入力操作部１７は、通話接続ボタン１７ａ、切断ボタン１７ｂ、選択操作キー１７ｃおよび入力キー１７ｄなど、複数のボタンを含んでいる。通話接続ボタン１７ａは、外部からの電話着信を受けた際に、ユーザが押圧することにより外部と通話可能にするボタンである。選択操作キー１７ｃは、表示部１８に表示されている複数のメニュー選択表示から１つのメニューを選択し、選択されたメニューを選択決定するためのキーである。これにより、選択操作キー１７ｃは、ユーザが所定の操作を行うことにより、ＣＰＵ１１を後述するリモート撮像モードに切り替え可能に構成されている。また、選択操作キー１７ｃにより、電話帳に予め記憶されている複数の識別情報から遠隔撮影に用いる操作側携帯電話機２００の識別情報を選択することも可能である。入力キー１７ｄは、遠隔撮影に用いる操作側携帯電話機２００の識別情報（電話番号）を入力する際にユーザにより操作可能に構成されている。
【００３４】
また、表示部１８は、ユーザがカメラ側携帯電話機１００を操作する際の操作画面および撮像部１３により撮像された画像を表示する機能を有する。
【００３５】
ここで、第１実施形態では、カメラ側携帯電話機１００のＣＰＵ１１は、後述する遠隔撮影モードにおいて、ユーザの操作側携帯電話機２００の操作に基づいて、撮像部１３が撮像動作を実行することが可能なように構成されている。
【００３６】
ＣＰＵ１１は、通話可能な電話モードによりカメラ側携帯電話機１００の制御を行うように構成されている。また、ＣＰＵ１１は、撮像部１３が撮像動作を実行することが可能な撮像モードによりカメラ側携帯電話機１００の制御を行うように構成されている。この撮像モードは、ユーザが入力操作部１７の選択操作キー１７ｃなどを操作することによって通話モードから切替可能である。また、ＣＰＵ１１は、電話モードおよび撮像モードに加えて、カメラ側携帯電話機１００が操作側携帯電話機２００から電話着信を受け、その後、電話発信がユーザにより切断されたことを検知した場合に、撮像部１３が撮像動作を実行することが可能な遠隔撮影モードで制御を行うように構成されている。
【００３７】
第１実施形態では、ＣＰＵ１１は、電話着信時の着信音が５回目に着呼した後、次の６回目に着呼する前までの間に、電話着信による通信状態がユーザにより切断されたことを検知した場合に、撮像部１３に撮像動作を実行するように制御するように構成されている。なお、上記着信音（リングトーン）の繰り返し回数である５回は、本発明の「第１の回数」および「所定の回数」の一例である。また、上記着信音（リングトーン）の繰り返し回数である６回は、本発明の「第２の回数」の一例である。
【００３８】
また、第１実施形態では、ＣＰＵ１１は、遠隔撮影モードにおいて、ＩＲ（赤外線）通信部１４およびＢｌｕｅｔｏｏｔｈ通信部１５などにより予め取得された識別情報（電話番号）に対応する操作側携帯電話機２００（図４参照）から電話着信されるとともにその電話着信がユーザにより切断されたことを検知した場合に、撮像部１３に撮像動作を実行するように制御するように構成されている。つまり、ＣＰＵ１１は、遠隔撮影モードにおいて、予め取得された識別情報（電話番号）に対応する操作側携帯電話機２００とは異なる携帯電話機から着信があった場合には、その携帯電話機からの着信を拒否する制御を行うように構成されている。
【００３９】
次に、操作側携帯電話機２００の構成について説明する。
【００４０】
本発明の第１実施形態による操作側携帯電話機２００は、図４に示すように、ＣＰＵ２１と、電話通信部２２と、受話音および発呼音などを出力するスピーカ部２３と、ＩＲ（赤外線）通信部２４およびＢｌｕｅｔｏｏｔｈ通信部２５と、不揮発性メモリ２６と、入力操作部２７と、表示部２８とを備える携帯電話機である。
【００４１】
ＣＰＵ２１は、操作側携帯電話機２００の制御を司る機能を有する。また、電話通信部２２は、図示しない携帯電話会社の基地局と電波を送受信可能に構成されており、図示しない基地局を介して上記カメラ側携帯電話機１００（図３参照）など他の外線電話機と電話通信を行うことが可能なように構成されている。
【００４２】
また、第１実施形態では、スピーカ部２３は、操作側携帯電話機２００からカメラ側携帯電話機１００などの外線電話機に発信した際に、繰り返し発呼される発呼音（リングトーン）を出力する機能を有する。これにより、上記遠隔撮影モードにおいて、操作側携帯電話機２００からカメラ側携帯電話機１００に発信した場合に、繰り返し発呼される発呼音を操作側携帯電話機２００のスピーカ部２３からユーザが聞き取ることが可能となるので、発呼される回数をユーザがカウントすることが可能となる。カメラ側携帯電話機１００から繰り返し着呼される着呼音の回数は、操作側携帯電話機２００から繰り返し発呼される発呼音の回数に対応している。このため、ユーザが、スピーカ部２３から繰り返し発呼される発呼音の回数をカウントするとともに、発呼音が５回目に発呼した後次の６回目に発呼する前までの間に、切断ボタン２７ｂを押圧することによって、カメラ側携帯電話機１００の撮像部１３のシャッター操作を行うことが可能である。
【００４３】
ＩＲ（赤外線）通信部２４およびＢｌｕｅｔｏｏｔｈ通信部２５は、それぞれ、カメラ側携帯電話機１００など外部機器と電話通信以外の方法でデータを無線通信可能に構成されている。具体的には、ＩＲ（赤外線）通信部２４は、ユーザの操作に基づいて起動するように構成されており、ＩＲ（赤外線）通信部２４が起動している場合においてカメラ側携帯電話機１００のＩＲ（赤外線）通信部１４からデータ要求送信があった場合に、カメラ側携帯電話機１００のＩＲ（赤外線）通信部１４に操作側携帯電話機２００の電話番号およびメールアドレスなどの識別情報を送信するように構成されている。また、Ｂｌｕｅｔｏｏｔｈ通信部２５は、上記カメラ側携帯電話機１００のＢｌｕｅｔｏｏｔｈ通信部１５と相互にデータ通信ができるように、予めペアリングパスキーを設定可能に構成されている。これにより、カメラ側携帯電話機１００のＢｌｕｅｔｏｏｔｈ通信部１５と操作側携帯電話機２００のＢｌｕｅｔｏｏｔｈ通信部２５とに予めペアリングパスキーが設定されている場合には、操作側携帯電話機２００の電話番号およびメールアドレスなどの識別情報をカメラ側携帯電話機１００のＢｌｕｅｔｏｏｔｈ通信部１５に送信することが可能となる。
【００４４】
不揮発性メモリ２６は、操作側携帯電話機２００自身の電話番号、カメラ側携帯電話機１００などの電話番号、ＣＰＵ２１の制御プログラムなど各種データを格納する機能を有する。
【００４５】
入力操作部２７は、通話接続ボタン２７ａ、切断ボタン２７ｂ、選択操作キー２７ｃおよび入力キー２７ｄなど、複数のボタンを含んでいる。通話接続ボタン２７ａは、外部からの電話着信を受けた際および外線接続状態をオンする際に、ユーザが押圧することにより外部と通話可能にするボタンである。切断ボタン２７ｂは、通話状態、着信状態および発信状態がそれぞれオンである場合に、ユーザが押圧することにより各々の通信状態を切断可能にするボタンである。選択操作キー２７ｃは、カメラ側携帯電話機１００に操作側携帯電話機２００の識別情報（電話番号）を送信するために、ＩＲ（赤外線）通信部２４およびＢｌｕｅｔｏｏｔｈ通信部２５を起動させる操作などを行う際に用いるキーである。
【００４６】
また、表示部２８は、ユーザが操作側携帯電話機２００を操作する際の操作画面などを表示する機能を有する。
【００４７】
次に、図１〜図５を参照して、本発明の第１実施形態による遠隔撮影モードにおけるカメラ側携帯電話機１００の制御フローについて説明する。
【００４８】
まず、図５に示すように、ステップＳ１において、ＣＰＵ１１（図３参照）により、遠隔撮影モードが起動されたか否かが判断される。なお、遠隔撮影モードは、ユーザにより上記選択操作キー１７ｃが操作されることにより設定される。そして、遠隔撮影モードが起動されるまでこの判断が繰り返される。また、ステップＳ１において、遠隔撮影モードが起動されたと判断された場合には、ステップＳ２に進む。
【００４９】
そして、ステップＳ２において、Ｂｌｕｅｔｏｏｔｈ通信部１５が有効か否かが判断される。そして、ステップＳ２において、Ｂｌｕｅｔｏｏｔｈ通信部１５が有効ではないと判断された場合には、後述するステップＳ５に進む。また、ステップＳ２において、Ｂｌｕｅｔｏｏｔｈ通信部１５が有効であると判断された場合には、ステップＳ３に進む。
【００５０】
そして、ステップＳ３において、近隣に、図１に示すように、Ｂｌｕｅｔｏｏｔｈ通信部２５を有する操作側携帯電話機２００のようなＢｌｕｅｔｏｏｔｈデバイスがあるか否かを検索し、ステップＳ４に進む。具体的には、Ｂｌｕｅｔｏｏｔｈ通信部１５に予めペアリングパスキーが設定されている場合に、Ｂｌｕｅｔｏｏｔｈ通信部１５と同一のペアリングパスキーが設定されているＢｌｕｅｔｏｏｔｈ通信部２５を有する操作側携帯電話機２００の存在が検索される。そして、図５に示すように、ステップＳ４において、Ｂｌｕｅｔｏｏｔｈ通信部１５と同一のペアリングパスキーが設定されている操作側携帯電話機２００から携帯電話番号および携帯メールアドレスなどのデバイス識別情報が受信されたか否かが判断される。そして、ステップＳ４において、操作側携帯電話機２００（Ｂｌｕｅｔｏｏｔｈデバイス）から携帯電話番号および携帯メールアドレスなどのデバイス識別情報が受信されたと判断された場合には、後述するステップＳ１０に進む。また、ステップＳ４において、操作側携帯電話機２００（Ｂｌｕｅｔｏｏｔｈデバイス）から携帯電話番号および携帯メールアドレスなどのデバイス識別情報が受信されなかったと判断された場合には、ステップＳ５に進む。
【００５１】
そして、ステップＳ５において、ＩＲ（赤外線）通信部１４が有効か否かが判断される。そして、ステップＳ５において、ＩＲ（赤外線）通信部１４が有効ではないと判断された場合には、後述するステップＳ８に進む。また、ステップＳ５において、ＩＲ（赤外線）通信部１４が有効であると判断された場合には、ステップＳ６に進む。
【００５２】
そして、ステップＳ６において、近くに、図１に示すように、ＩＲ（赤外線）通信部２４を有する操作側携帯電話機２００のようなＩｒ通信デバイスがあるか否かを検索し、ステップＳ７に進む。具体的には、操作側携帯電話機２００のＩＲ（赤外線）通信部２４がユーザの操作に基づいて起動されるとともに操作側携帯電話機２００の識別情報（電話番号）を送信可能な状態にされた場合には、カメラ側携帯電話機１００のＩＲ（赤外線）通信部１４からデータ要求送信がされる。そして、図５に示すように、ステップＳ７において、ＩＲ（赤外線）通信部２４が起動された操作側携帯電話機２００から携帯電話番号および携帯メールアドレスなどのデバイス識別情報が受信されたか否かが判断される。つまり、カメラ側携帯電話機１００のＩＲ（赤外線）通信部１４によるデータ要求送信に応じて、操作側携帯電話機２００のＩＲ（赤外線）通信部２４からカメラ側携帯電話機１００のＩＲ（赤外線）通信部１４に操作側携帯電話機２００の電話番号およびメールアドレスなどの識別情報を送信されたか否かが判断される。そして、ステップＳ７において、操作側携帯電話機２００（Ｉｒ通信デバイス）から携帯電話番号および携帯メールアドレスなどのデバイス識別情報が受信されたと判断された場合には、後述するステップＳ１０に進む。また、ステップＳ７において、操作側携帯電話機２００（Ｉｒ通信デバイス）から携帯電話番号および携帯メールアドレスなどのデバイス識別情報が受信されなかったと判断された場合には、ステップＳ８に進む。
【００５３】
上記ステップＳ２〜Ｓ８の動作のように、カメラ側携帯電話機１００は、ＩＲ（赤外線）通信部１４およびＢｌｕｅｔｏｏｔｈ通信部１５のような無線通信手段を用いて自動的に遠隔撮影に用いる操作側携帯電話機２００の識別情報を取得可能に構成されている。これにより、複雑な操作を行うことなく遠隔撮影に用いる操作側携帯電話機２００をカメラ側携帯電話機１００に設定することが可能である。
【００５４】
その後、ステップＳ８において、電話帳検索モードが起動される。すなわち、上記無線通信手段を用いて自動的に遠隔撮影に用いる操作側携帯電話機２００の識別情報（電話番号）を取得できなかったため、ＣＰＵ１１は、電話帳検索モードを起動し、電話帳に予め記憶されている複数の識別情報の中から遠隔撮影に用いる操作側携帯電話機２００の識別情報（電話番号）をユーザにより選択させる。
【００５５】
そして、ステップＳ９において、ユーザにより電話帳に予め記憶されている複数の識別情報から遠隔撮影に用いる操作側携帯電話機２００の識別情報（電話番号）が選択されることにより、操作側携帯電話機２００が決定されたか否かが判断される。そして、操作側携帯電話機２００が決定されるまで、ステップＳ９の判断が繰り返される。また、ステップＳ９において、操作側携帯電話機２００が決定された場合には、ステップＳ１０に進む。
【００５６】
その後、ステップＳ１０において、上記ステップＳ４、Ｓ７またはＳ９により操作側携帯電話機２００の識別情報が取得されたことにより、留守番電話モードおよび留守番電話転送モードが解除され、ステップＳ１１に進む。そして、ステップＳ１１において、電話着信の待ち受けが開始され、ステップＳ１２に進む。
【００５７】
その後、ステップＳ１２において、カメラ側携帯電話機１００に操作側携帯電話機２００からの電話着信があったか否かが判断される。すなわち、ユーザにより遠隔操作に用いる操作側携帯電話機２００の通話接続ボタン２７ａ（図１参照）が押圧されることにより、カメラ側携帯電話機１００に電話発信したか否かが検出される。そして、カメラ側携帯電話機１００に操作側携帯電話機２００からの電話着信があるまでステップＳ１２の判断が繰り返され、電話着信があった場合には、ステップＳ１３に進む。
【００５８】
そして、ステップＳ１３において、電話着信の相手が上記ステップＳ４、Ｓ７またはＳ９により取得された操作側携帯電話機２００の識別情報であるか否かが判断される。そして、ステップＳ１３において、電話着信の相手が上記ステップＳ４、Ｓ７またはＳ９により取得された操作側携帯電話機２００の識別情報（電話番号）でないと判断された場合には、ステップＳ１４に進み、電話着信を拒否した後に、ステップＳ１１に戻る。また、ステップＳ１３において、電話着信の相手が上記ステップＳ４、Ｓ７またはＳ９により取得された操作側携帯電話機２００の識別情報（電話番号）であると判断された場合には、ステップＳ１５に進む。
【００５９】
その後、ステップＳ１５において、電話着信時の着信音（リングトーン）の着呼回数がカウントされる。なお、この際、ユーザは、図１に示すように、スピーカ２３から発呼される発呼音をカウントしながらカメラ側携帯電話機１００から被写体５０になるように図２に示す位置まで移動する。そして、ステップＳ１６において、電話着信時の着信音が５回目に着呼した後、次の６回目に着呼する前までの間に、電話着信による通信状態が切断されたか否かが判断される。つまり、ユーザにより操作側携帯電話機２００の切断ボタン２７ｂが押圧されたか否かが判断される。そして、ステップＳ１６において、電話着信時の着信音が５回目に着呼した後、次の６回目に着呼する前までの間に、電話着信が切断されたと判断（検知）された場合には、ステップＳ１７に進む。そして、ステップＳ１７において、撮像部１３の図示しないシャッターが操作され、撮影が実行された後、ＣＰＵ１１の処理が終了される。また、ステップＳ１６において、電話着信時の着信音が５回目に着呼した後、次の６回目に着呼する前までの間に、電話着信が切断されなかったと判断（検知）された場合には、撮像部１３による撮影を実行することなく、ＣＰＵ１１の処理が終了される。
【００６０】
第１実施形態では、上記のように、電話通信部１２において操作側携帯電話機２００からの電話着信があった場合において、電話着信時の着信音が５回繰り返し着呼された後、電話着信による通信状態がユーザにより切断されたことを検知した場合に、撮像部１３に撮像動作を実行するように制御するＣＰＵ１１を設けることによって、電話通信部１２により電話の着信を一旦受けた後の通信の状態が確立した状態で撮像部１３に撮像動作を実行するように制御するので、電話着信があった際にカメラ撮影を実行する携帯電話機と異なり、カメラ撮影のタイミングを均一にすることができる。また、電話着信時の着信音が５回繰り返し着呼された後、電話着信による通信状態がユーザにより切断されたことを検知した場合に、撮像部１３に撮像動作を実行するように制御するＣＰＵ１１を設けることによって、相手側と電話の通話状態を確立する操作および撮影を実行するための操作を行うことなく、かつ、制御コマンドを送信するための煩雑な操作を行うことなく撮像動作を実行することができる。これにより、ユーザが行う操作を削減することができる。これらの結果、ユーザの操作を簡素化しながらカメラ撮影のタイミングを均一にすることができる。
【００６１】
また、第１実施形態では、上記のように、ＣＰＵ１１を、電話着信時の着信音が５回目に着呼した後、次の回数である６回目に着呼する前までの間に、電話着信が切断されたことを検知した場合に、撮像部１３に撮像動作を実行するように制御することによって、５回目に着呼した後、６回目に着呼する前までの間に限定して撮像部１３に撮像動作を実行させることができるので、その期間に合わせた所定のタイミングでカメラ撮影を行うことができる。
【００６２】
また、第１実施形態では、上記のように、操作側携帯電話機２００と電話通信以外の方法で通信可能に構成され、操作側携帯電話機２００の識別情報を取得可能なＩＲ（赤外線）通信部１４およびＢｌｕｅｔｏｏｔｈ通信部１５を設けるとともに、ＣＰＵ１１を、ＩＲ（赤外線）通信部１４およびＢｌｕｅｔｏｏｔｈ通信部１５により予め取得された識別情報に対応する操作側携帯電話機２００との通信状態が切断されたことを検知した場合に、撮像部１３に撮像動作を実行するように制御することによって、ＩＲ（赤外線）通信部１４およびＢｌｕｅｔｏｏｔｈ通信部１５により予め取得された識別情報に対応しない携帯電話機から着信があった場合にも、撮像部１３により撮像動作が実行されることがないので、予期せぬ着信に起因してカメラ撮影が行われるのを抑制することができる。
【００６３】
また、第１実施形態では、上記のように、ＣＰＵ１１を、ＩＲ（赤外線）通信部１４およびＢｌｕｅｔｏｏｔｈ通信部１５を介して操作側携帯電話機２００の識別情報を取得できなかった場合に、ユーザの入力操作により操作側携帯電話機２００の識別情報を受付可能に構成することによって、ＩＲ（赤外線）通信部１４およびＢｌｕｅｔｏｏｔｈ通信部１５が使用できない操作側携帯電話機２００を用いてカメラ撮影を行いたい場合にも、ユーザが撮影を行うカメラ側携帯電話機１００を操作してＩＲ（赤外線）通信部１４およびＢｌｕｅｔｏｏｔｈ通信部１５と通信できない操作側携帯電話機２００の識別情報を選択することにより、ＩＲ（赤外線）通信部１４およびＢｌｕｅｔｏｏｔｈ通信部１５と通信できない操作側携帯電話機２００を用いてカメラ撮影を行うことができる。
【００６４】
また、第１実施形態では、上記のように、ＣＰＵ１１を、電話着信された操作側の携帯電話機の識別情報が予め取得された操作側携帯電話機２００の識別情報と異なる場合には、予め取得された識別情報と異なる操作側携帯電話機からの電話着信を拒否する制御を行うように構成することによって、予め取得された識別情報と異なる操作側の携帯電話機からの電話着信に基づいてカメラ撮影が行われるのを防止することができる。
【００６５】
（第２実施形態）
次に、図４および図６を参照して、本発明の第２実施形態によるカメラ側携帯電話機３００および操作側携帯電話機２００からなる撮像システムの構成について説明する。なお、カメラ側携帯電話機３００は、本発明の「撮像側携帯電話機」および「携帯電話機」の一例である。この第２実施形態による携帯電話機を用いた撮像システムは、上記第１実施形態による携帯電話機を用いた撮像システムと異なり、カメラ側携帯電話機３００から操作側携帯電話機２００に電話発信した後、操作側携帯電話機２００でその電話発信がユーザにより切断されたことを検知した場合に、撮像部１３が撮像動作を実行するように構成されている。
【００６６】
本発明の第２実施形態によるカメラ側携帯電話機３００は、図６に示すように、ＣＰＵ３１と、上記第１実施形態と同様に、電話通信部１２と、カメラ撮像を行う撮像部１３と、ＩＲ（赤外線）通信部１４およびＢｌｕｅｔｏｏｔｈ通信部１５と、不揮発性メモリ１６と、入力操作部１７と、表示部１８とを備える撮像機能（カメラ機能）を有する携帯電話機である。なお、ＣＰＵ３１は、本発明の「制御部」の一例であり、電話通信部１２は、本発明の「第１通信部」および「通信部」の一例である。
【００６７】
ここで、第２実施形態では、ＣＰＵ３１は、電話モードおよび撮像モードのほか、カメラ側携帯電話機３００から操作側携帯電話機２００（図４参照）に電話発信した後、操作側携帯電話機２００側でその電話発信による電話通信がユーザにより切断されたことを検知した場合に、撮像部１３が撮像動作を実行することが可能な遠隔撮影モードで制御を行うように構成されている。
【００６８】
第２実施形態では、ＣＰＵ３１は、電話発信時の発信音が５回目に発呼した後、次の６回目に発呼する前までの間に、操作側携帯電話機２００側でその電話発信による電話通信がユーザにより切断されたことを検知した場合に、撮像部１３に撮像動作を実行するように制御するように構成されている。
【００６９】
また、第２実施形態では、ＣＰＵ３１は、遠隔撮影モードにおいて、ＩＲ（赤外線）通信部１４およびＢｌｕｅｔｏｏｔｈ通信部１５などにより予め取得された識別情報に対応する操作側携帯電話機２００（図４参照）に電話発信されるとともに、その電話発信が操作側携帯電話機２００側で切断された場合に、撮像部１３に撮像動作を実行するように制御するように構成されている。
【００７０】
なお、上記構成以外の第２実施形態による携帯電話機を用いた撮像システムの構成は、上記第１実施形態による携帯電話機を用いた撮像システムの構成と同様であるため、その説明を省略する。
【００７１】
次に、図４、図６および図７を参照して、本発明の第２実施形態による遠隔撮影モードにおけるカメラ側携帯電話機３００の制御フローについて説明する。なお、ステップＳ１〜Ｓ９の制御フローは、上記第１実施形態におけるカメラ側携帯電話機１００の制御フローのステップＳ１〜Ｓ９の制御フローと同一なので説明を省略する。
【００７２】
図７に示すように、ステップＳ９の後、ステップＳ２０において、ステップＳ４、Ｓ７またはＳ９により取得された識別情報（電話番号）に対応する操作側携帯電話機２００（図４参照）に電話発信がされたか否かが判断される。すなわち、ユーザがカメラ側携帯電話機３００の通話接続ボタン１７ａ（図６参照）を押圧して、操作側携帯電話機２００に電話発信したか否かが検出される。そして、取得された識別情報（電話番号）に対応する操作側携帯電話機２００に電話発信がされるまでステップＳ２０の判断が繰り返され、取得された識別情報（電話番号）に対応する操作側携帯電話機２００に電話発信がされた場合には、ステップＳ２１に進む。
【００７３】
その後、ステップＳ２１において、電話発信時の発信音（リングトーン）の発呼回数がカウントされる。なお、この際、ユーザは、操作側携帯電話機２００の着呼音の着呼回数をカウントしながら被写体５０になるように所定の位置まで移動する。そして、ステップＳ２２において、電話発信時の発信音が５回目に発呼した後、次の６回目に発呼する前までの間に、着信側の操作側携帯電話機２００によりカメラ側携帯電話機１００による電話発信の通信状態が切断されたか否かが判断される。つまり、ユーザにより操作側携帯電話機２００の切断ボタン２７ｂが押圧されたか否かが判断される。そして、ステップＳ２２において、電話発信時の発信音が５回目に発呼した後、次の６回目に発呼する前までの間に、着信側の操作側携帯電話機２００によりカメラ側携帯電話機１００による電話発信が切断されたと判断（検知）された場合には、ステップＳ２３に進む。そして、ステップＳ２３において、撮像部１３の図示しないシャッターが操作され、撮影が実行された後、ＣＰＵ３１の処理が終了される。また、ステップＳ２２において、電話発信時の発信音が５回目に発呼した後、次の６回目に発呼する前までの間に、着信側の操作側携帯電話機２００によりカメラ側携帯電話機１００による電話発信が切断されなかったと判断（検知）された場合には、撮像部１３による撮影を実行することなく、ＣＰＵ３１の処理が終了される。
【００７４】
第２実施形態では、上記のように、操作側携帯電話機２００に電話発信があった場合において、電話発信時の呼出音が５回繰り返し発呼された後、電話発信による通信状態がユーザにより切断されたことを検知した場合に、撮像部１３に撮像動作を実行するように制御するＣＰＵ１１を設けることによって、電話の発信を一旦受けた後の通信の状態が確立した状態で撮像部１３に撮像動作を実行するように制御するので、電話発信があった際にカメラ撮影を実行する携帯電話機と異なり、カメラ撮影のタイミングを均一にすることができる。また、電話発信時の呼出音が５回繰り返し発呼された後、電話発信による通信状態がユーザにより切断されたことを検知した場合に、撮像部１３に撮像動作を実行するように制御するＣＰＵ１１を設けることによって、操作側携帯電話機２００（相手側）と電話の通話状態を確立する操作および撮影を実行するための操作を行うことなく、かつ、制御コマンドを送信するための煩雑な操作を行うことなく撮像動作を実行することができる。これにより、ユーザが行う操作を削減することができる。これらの結果、ユーザの操作を簡素化しながらカメラ撮影のタイミングを均一にすることができる。
【００７５】
また、第２実施形態では、上記のように、ＣＰＵ３１を、電話発信時の発信音が５回目に発呼した後、次の回数である６回目に発呼する前までの間に、電話発信が切断されたことを検知した場合に、撮像部１３に撮像動作を実行するように制御することによって、５回目に発呼した後、６回目に発呼する前までの間に限定して撮像部１３に撮像動作を実行させることができるので、その期間に合わせた所定のタイミングでカメラ撮影を行うことができる。
【００７６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７７】
たとえば、上記第１および第２実施形態では、電話着信時の着信音および電話発信時の発信音が５回目に着呼および発呼した後、次の回数である６回目に着呼および発呼する前までの間に、電話着信および電話発信が切断されたことを検知した場合に、撮像部に撮像動作を実行させる例を示したが、本発明はこれに限られない。たとえば、電話着信時の着信音および電話発信時の発信音が５回以上着呼および発呼した後に電話着信および電話発信が切断されたことを検知した場合であればいつでも、その検知されたタイミングで撮像部に撮像動作を実行させるようにしてもよい。
【００７８】
また、上記第１および第２実施形態では、ＩＲ（赤外線）通信部およびＢｌｕｅｔｏｏｔｈ通信部を介して操作側携帯電話機の識別情報を取得した例を示したが、本発明はこれに限られない。たとえば、ＩＥＥＥ８０２．１１のような無線ＬＡＮなど、ＩＲ（赤外線）通信部およびＢｌｕｅｔｏｏｔｈ通信部以外の無線通信を介して操作側の携帯電話機の識別情報を取得してもよい。また、ＵＳＢケーブルおよびＩＥＥＥ１３９４など、有線ケーブル通信を介して操作側携帯電話機の識別情報を取得してもよい。
【００７９】
また、上記第１および第２実施形態では、操作側携帯電話機にＩＲ（赤外線）通信部およびＢｌｕｅｔｏｏｔｈ通信部が設けられている例を示したが、本発明はこれに限られない。たとえば、操作側携帯電話機が、ＩＲ（赤外線）通信部およびＢｌｕｅｔｏｏｔｈ通信部を有さず、ユーザにより予め記憶されている識別情報を選択可能な携帯電話機であればよい。また、操作側携帯電話機が、識別情報を入力キーなどによりユーザが手動で入力可能な携帯電話機であってもよい。
【００８０】
また、上記第１実施形態では、操作側携帯電話機のＩＲ（赤外線）通信部をユーザの操作により起動することによって、撮影側携帯電話機のＩＲ（赤外線）通信部が操作側の携帯電話機の識別情報を取得した例を示したが、本発明はこれに限られない。本発明では、撮影側携帯電話機のＩＲ（赤外線）通信部が他のＩＲ（赤外線）通信部を検索した場合に、ユーザの操作がない場合にも、操作側携帯電話機のＩＲ（赤外線）通信部が自動的に起動するとともに、撮影側携帯電話機のＩＲ（赤外線）通信部に操作側の携帯電話機の識別情報を自動的に送信するようにしてもよい。
【００８１】
また、上記第１および第２実施形態では、撮像部に撮像動作を実行させる際の電話着信時の着信音および電話発信時の発信音の回数を５回にした例を示したが、本発明はこれに限られない。本発明では、電話着信時の着信音および電話発信時の発信音の回数が何回であってもよいが、複数回であるのが好ましい。また、撮像部に撮像動作を実行させる際の電話着信時の着信音および電話発信時の発信音の回数を、ユーザにより変更可能にしてもよい。
【符号の説明】
【００８２】
１１  ＣＰＵ（制御部）
１２  電話通信部（第１通信部、通信部）
１３  撮像部
１４  ＩＲ（赤外線）通信部（第２通信部）
１５  Ｂｌｕｅｔｏｏｔｈ通信部（第２通信部）
１００  カメラ側携帯電話機（撮像側携帯電話機）
２００  操作側携帯電話機
３００  カメラ側携帯電話機（撮像側携帯電話機）
【図１】
0005413034.tif 000002
【図２】
0005413034.tif 000003
【図３】
0005413034.tif 000004
【図４】
0005413034.tif 000005
【図５】
0005413034.tif 000006
【図６】
0005413034.tif 000007
【図７】
0005413034.tif 000008